(57)【要約】      （修正有）【課題】ワンタッチ着脱式フィルター組立体及びアダプターを提供する。【解決手段】ワンタッチ着脱式アダプター１００は上部両側に流入口１０ｉｎと原水流入孔１０ｃ及び浄水水流出孔１０ｄと浄水水流出口１０ｏｕｔが形成されこれら流入口及び流出口と連通する中央貫通ホールを有するアダプター本体１０と該中央貫通ホールの内部に配置され上記流入口から流入水の流入及び遮断を調節するチェックバルブ２０と上記中央貫通ホールの上部開口を閉鎖する上部カバー１０ａと上記中央貫通ホールと連通するように上記アダプター本体の下部に配置された下部カバー１０ｂとこの下部カバー１０ｂ上に配置され互いに対向する方向に移動可能でフィルター組立体を分離可能に締結するスライドプレート５０とこのスライドプレートとフィルター組立体との締結状態を解除して分離させるための分離ボタン手段４０を備える。及びこれに着脱できるフィルター組立体を提供する。【選択図】図１ａ
2006021190.tif 000002
【特許請求の範囲】
【請求項１】
カラーフランジを有する円筒状流動通路を一端に備えたフィルター組立体を着脱させるためのアダプターであって、
上部両側に流入口と流出口及びこれら流入口及び流出口と連通する中央貫通ホールを有するアダプター本体と、
上記中央貫通ホールの内部に配置され、上記流入口からの流入水の流入及び遮断を調節するチェックバルブと、
上記中央貫通ホールの上部開口を閉鎖する上部カバーと、
上記中央貫通ホールと連通し、上記フィルター組立体の円筒状流動通路が挿入される中央貫通口を有し、上記アダプター本体の下部に配置された下部カバーと、
下部カバー上に配置され、互いに対向する傾斜長孔とフィルター 組立体の流動通路のカラーフランジを分離可能に締結する対向半円弧部をそれぞれ備え、ばね力により互いに対向する方向に加圧される一対のフィルター 組立体締結用スライドープレートと、
上記傾斜長孔に挿入された突起を有する二つの分離バーとこれら分離バーの一端を互いに連結させたワンタッチ押しバーを備える分離ボタン手段を含み、フィルター組立体の分離時、上記押しバーを押すことにより分離バーが前進すると、上記スライドープレートの傾斜長孔に挿入された分離バーの突起が前進しながら、長孔の側面を押し出してスライドプレートが突起の移動方向と直角に移動されることにより、対向スライドプレートが互いに離れる方向に移動してフィルター組立体がワンタッチ分離されることを特徴とするワンタッチ着脱式アダプター。
【請求項２】
請求項１によるワンタッチ着脱式アダプターに分離可能に締結されるフィルター組立体であって、
カラーフランジを有する円筒状流動通路を入口部に備えた外部ハウジングと、
外部ハウジング内に配置されたフィルター材と、
フィルター材の上端と外部ハウジングの流動通路との間に配置され、ワンタッチ着脱式アダプターのチェックバルブを介して流入される流入水をフィルター材にガイドし、フィルター材により浄水された浄水水をワンタッチ着脱式アダプターの排出口にガイドする流入水及び流出水ガイドを備え、
上記流入水及び流出水ガイドは、流入水と流出浄水水の混合を防止するように形成された環状分離壁と、流入水をフィルターの外側面と外部ハウジングの内側面との間にガイドする原水流路転換通路と、フィルター材に流入されフィルタリングされた浄水水を外部に排出するための浄水水流出通路と、上記分離壁内部中央に設けられ、アダプターのチェックバルブに接触されながら、チェックバルブを開放させるプッシュロードと、を備えることを特徴とするフィルター組立体。
【請求項３】
部分円弧状対向カラーフランジを有する円筒状流動通路を一端に備えたフィルター組立体を着脱させるためのアダプターであって、
上部両側に流入口と流出口及びこれら流入口及び流出口と連通する中央貫通ホールを有するアダプター本体と、
上記中央貫通ホールの内部に配置され、上記流入口からの流入水の流入及び遮断を調節するチェックバルブと、
上記中央貫通ホールの上部開口を閉鎖する上部カバーと、
上記中央貫通ホールと連通し、上記フィルター組立体の円筒状流動通路が挿入される中央貫通口を有し、上記アダプター本体の下部に配置された下部カバーと、
上記下部カバーの中央貫通口は、部分円弧状対向カラーフランジを有するフィルター組立体の円筒状流動通路が合せ挿入できるようにその外周部に部分円周リムが対向配置され、フィルター組立体をアダプターに装着時、これらフィルター組立体とアダプターを相対回転させることにより、円筒状流動通路の対向カラーフランジがアダプターの下部カバーの中央貫通口の対向円周リムにかかることにより分離可能に締結されることを特徴とするワンタッチ着脱式アダプター。
【請求項４】
上記下部カバーの部分円周リムの上面一端部は下向傾斜部となっていること特徴とする請求項３に記載のワンタッチ着脱式アダプター。
【請求項５】
上記下部カバーの部分円周リムの上面の他の端部には、フィルター組立体の円筒状流動通路の部分円弧状対向カラーフランジの移動を停止させるストッパー突起がさらに形成されていること特徴とする請求項４に記載のワンタッチ着脱式アダプター。
【請求項６】
請求項３によるアダプターに分離可能に締結されるフィルター組立体であって、
部分円弧状対向カラーフランジを有する円筒状流動通路を入口部に備えた外部ハウジングと、
外部ハウジング内に配置されたフィルター材と、
フィルター材の上端と外部ハウジングの流動通路との間に配置され、ワンタッチ着脱式アダプターのチェックバルブを介して流入される流入水をフィルター材にガイドし、フィルター材により浄水された浄水水をワンタッチ着脱式アダプターの排出口にガイドする流入水及び流出水ガイドを備え、
上記流入水及び流出水ガイドは、流入水と流出浄水水の混合を防止するように形成された環状分離壁と、流入水をフィルターの外側面と外部ハウジングの内側面との間にガイドする原水流路転換通路と、フィルター材に流入されフィルタリングされた浄水水を外部に排出するための浄水水流出通路と、上記分離壁内部中央に設けられ、アダプターのチェックバルブに接触されながら、チェックバルブを開放させるプッシュロードと、を備えることを特徴とするフィルター組立体。
【請求項７】
上記部分円弧状対向カラーフランジの円弧部の一端は上向傾斜部となっていること特徴とする請求項６に記載のフィルター組立体。
【請求項８】
請求項２によるフィルター組立体を複数締結させるためのマルチアダプターであって、
並んで配列している複数の請求項１によるアダプターと、
これらアダプターの各流出口に設けられた逆流防止バルブと、
上記アダプターのうち、隣接するアダプターの各流入口と流出口の内部に、隣接するアダプターが互いに相対回転できるように上記各流入口と流出口との間を連結するように設けられたプラグ形連結部材を含み、上記プラグ形連結部材の外周面と上記流入口及び流出口の内周面との間はＯリングで密封されることを特徴とするマルチアダプター。
【請求項９】
請求項６によるフィルター組立体を複数締結させるためのマルチアダプターであって、
並んで配列している複数の請求項３によるアダプターと、
これらアダプターの各流出口に設けられた逆流防止バルブと、
上記アダプターのうち、隣接するアダプターの各流入口と流出口の内部に、隣接するアダプターが互いに相対回転できるように上記各流入口と流出口との間を連結するように設けられたプラグ形連結部材を含み、上記プラグ形連結部材の外周面と上記流入口及び流出口の内周面との間はＯリングで密封されることを特徴とするマルチアダプター。
【請求項１０】
上記チェックバルブは、気密保持された傾斜シート面を備え、上記流入口と連通されたバルブ本体と、このバルブ本体から中央貫通ホールの下部に延びる流動通路、上記傾斜シート面にプランジャーヘッドが気密に配置されるように上記流動通路内に配置され、フィルター組立体とアダプターの締結及び分離時のフィルター組立体による加圧及び加圧解除により移動され流動通路を開閉するバルブプランジャーと、上記上部カバーにより保持され、バルブ本体の傾斜シート面に配置されたプランジャーヘッドを弾性加圧するように配置されたバルブばねと、を備えることを特徴とする請求項１又は３に記載のワンタッチ着脱式アダプター。
【請求項１１】
上記フィルター組立体の締結時、フィルター組立体の流動通路のカラーフランジーと接触するスライドプレートの半円弧部は、下部から上部側に上向傾斜部となっていることを特徴とする請求項１に記載のワンタッチ着脱式アダプター。
【請求項１２】
上記アダプター本体の流出部内にはフィルター組立体の分離時、流出部後端の残圧による残留浄水水の逆流及び落水を防止するための逆流防止バルブが設けられたことを特徴とする請求項１又は３に記載のワンタッチ着脱式アダプター。
【請求項１３】
上記分離ボタン手段のワンタッチ押しバーにはフィルター組立体の偶発的な分離を防止するための安全ピンの装着ホールが形成されたことを特徴とする請求項１に記載のワンタッチ着脱式アダプター。
【請求項１４】
上記フィルター材は中空糸膜フィルター、不織布フィルター、活性炭フィルター、逆浸透膜フィルター、機能性セラミックフィルターのうち、少なくとも一つのフィルター材からなることを特徴とする請求項２又は６に記載のフィルター組立体。
【請求項１５】
請求項１又は３によるワンタッチ着脱式アダプターを備えることを特徴とする浄水システム。
【請求項１６】
請求項２又は６によるフィルター組立体を備えることを特徴とする浄水システム。
【請求項１７】
請求項８又は９によるワンタッチ着脱式マルチアダプターを備えることを特徴とする浄水システム。
【発明の詳細な説明】
【技術分野】
【０００１】
本発明はビデ、浄水器、イオン水器、冷蔵庫またはその他の機能水製造器などに用いられるフィルター組立体及びそのフィルター組立体を適用機器に着脱させるための単一及びマルチ形アダプターに係り、より詳細には、ワンタッチ方式で締結及び分離（或いは交換）が可能なワンタッチ着脱式アダプター及びそれに着脱できるフィルター組立体に関する。
【背景技術】
【０００２】
一般に、ビデ、浄水器、イオン水器などの機器には水の濾過または浄化のためのフィルターとこのフィルターを上記のような適用機器に着脱させるためのアダプターがある。
【０００３】
従来より、 例えば、特許文献１に開示された浄水器フィルター組立体の構成のように、この種のアダプターとフィルターの締結は、アダプターとフィルターを複雑な雌型及び雄型クランプ構造で形成して相互締結し、又は別途の締結手段を用いて行われ、締結状態のアダプター及びフィルターの分離は複雑な分離過程を経るか、別途の分離機構を用いて行われることが一般であり、なお、これらフィルターの交換時に原水の流出を遮断するために原水遮断装置を別に備えなければならなかった。
【０００４】
しかしながら、かかる従来の技術による締結構造は、フィルターを交換するための締結及び分離過程が複雑でフィルターの交換作業が難しかった。さらに、単一よりは複数のフィルターを採用している適用機器の場合、複数のフィルターを交換するために複雑な交換作業を一々行うべきであり、該分野において非専門家であるユーザーは該当製品の製造社又は代理店にアフターサービスを申出しなければならないという不都合があった。
【０００５】
【特許文献１】韓国特許出願２００３−９０６８
【発明の開示】
【発明が解決しようとする課題】
【０００６】
本発明は、上記した従来技術の問題点を解消するために案出されたものであり、その目的は、ビデ、浄水器、イオン水器、冷蔵庫又はその他の機能水製造器などに用いられるフィルター組立体及びそのフィルター組立体を適用機器に着脱させるためのアダプターをワンタッチ方式で相互締結及び分離できるワンタッチ着脱式フィルター組立体及びアダプターを提供するところにある。
【０００７】
また、本発明は、フィルターの交換時、別途の原水遮断装置を備えることなく、フィルターを分離することで原水の流動が自動に遮断されるチェックバルブを備えたワンタッチ着脱式アダプターとそれに着脱できるフィルター組立体を提供することを目的とする。
【０００８】
さらにまた、本発明は、上記アダプターを複数直列に連結し、それに着脱される複数のフィルター組立体を備えてワンタッチ方式で相互締結及び分離できるマルチアダプターとこれを採用した浄水システムを提供することを目的とする。
【課題を解決するための手段】
【０００９】
上記目的を達成するために、本発明は、カラーフランジ（collar flange）を有する円筒状流動通路を一端に備えたフィルター組立体を着脱させるためのアダプターであって、上部両側に流入口と流出口及びこれら流入口及び流出口と連通する中央貫通ホールを有するアダプター本体と、上記中央貫通ホールの内部に配置され、上記流入口からの流入水の流入及び遮断を調節するチェックバルブと、上記中央貫通ホールの上記開口を閉鎖する上部カーバーと、上記中央貫通ホールと連通し、上記フィルター組立体の円筒状流動通路が挿入される中央貫通口を有し、上記アダプター本体の下部に配置された下部カーバーと、下部カーバー上に配置され、互いに対向する傾斜長孔とフィルター組立体の流動通路のカラーフランジを分離可能に締結する対向半円弧部をそれぞれ備えており、ばね力により互いに対向する方向に加圧される一対のフィルター組立体締結用スライドープレートと、上記傾斜長孔に挿入された突起を有する二つの分離バーとこれら分離バーの一端を互いに連結させたワンタッチ押しバーを備える分離ボタン手段を備え、フィルター組立体の分離時に上記押しバーを押すことにより分離バーが前進すると、上記スライドープレートの傾斜長孔に挿入された分離バーの突起が前進しながら、長孔の側面を押し出してスライドープレートが突起の移動方向と直角に移動されることにより、対向スライドプレートが互いに離れる方向に移動しフィルター組立体がワンタッチ分離できることを特徴とするワンタッチ着脱式アダプターを提供する。
【００１０】
本発明の他の様態によれば、部分円弧状対向カラーフランジ（collar flange）を有する円筒状流動通路を一端に備えたフィルター組立体を着脱させるためのアダプターであって、上部両側に流入口と流出口及びこれら流入口及び流出口と連通する中央貫通ホールを有するアダプター本体と、上記中央貫通ホールの内部に配置され、上記流入口からの流入水の流入及び遮断を調節するチェックバルブと、上記中央貫通ホールの上記開口を閉鎖する上部カーバーと、上記中央貫通ホールと連通し、上記フィルター組立体の円筒状流動通路が挿入される中央貫通口を有し、上記アダプター本体の下部に配置された下部カーバーと、上記下部カバーの中央貫通口は、部分円弧状対向カラーフランジを有する円筒状流動通路が合せ挿入できるようにその外周部に部分円周リムが対向配置され、フィルター組立体をアダプターに装着時、これらフィルター組立体とアダプターを相対回転させることにより、円筒状流動通路の対向カラーフランジがアダプターの下部カバーの中央貫通口の対向円周リムにかかることにより分離可能に締結されることを特徴とするワンタッチ着脱式アダプターを提供する。
【００１１】
本発明の他の様態によれば、上記したワンタッチ着脱式アダプターに分離可能に締結されるフィルター組立体であって、カラーフランジを有する円筒状流動通路を入口部に備えた外部ハウジングと、外部ハウジング内に配置されたフィルタ―材と、フィルター材の上端と外部ハウジングの流動通路との間に配置され、ワンタッチ着脱式アダプターのチェックバルブを介して流入される流入水をフィルター材にガイドし、フィルター材により浄水された浄水水をワンタッチ着脱式アダプターの排出口にガイドする流入水及び流出水ガイドを含み、上記流入水及び流出水ガイドは、流入水と流出浄水水の混合を防止するように形成された環状分離壁と、流入水をフィルター材の外側面と外部ハウジングの内側面との間にガイドする原水流路転換通路と、フィルター材に流入しフィルタリングされた浄水水を外部に排出するための浄水水流出通路と、上記分離壁内部の中央に設けられ、アダプターのチェックバルブに接触しながら、チェックバルブを開放させるプッシュロードを備えることを特徴とするフィルター組立体を提供する。
【００１２】
本発明の他の様態によれば、上記したアダプターに分離可能に締結されるフィルター組立体であって、部分円弧状対向カラーフランジを有する円筒状流動通路を入口部に備えた外部ハウジングと、外部ハウジング内に配置されたフィルタ―材と、フィルター材の上端と外部ハウジングの流動通路との間に配置され、ワンタッチ着脱式アダプターのチェックバルブを介して流入される流入水をフィルター材にガイドし、フィルター材により浄水された浄水水をワンタッチ着脱式アダプターの排出口にガイドする流入水及び流出水ガイドを含み、上記流入水及び流出水ガイドは、流入水と流出浄水水の混合を防止するように形成された環状分離壁と、流入水をフィルター材の外側面と外部ハウジングの内側面との間にガイドする原水流路転換通路と、フィルター材に流入しフィルタリングされた浄水水を外部に排出するための浄水水流出通路と、上記分離壁内部の中央に設けられ、アダプターのチェックバルブに接触しながら、チェックバルブを開放させるプッシュロードを備えることを特徴とするフィルター組立体を提供する。
【００１３】
本発明の又他の様態によれば、上記したフィルター組立体を複数締結させるためのマルチアダプターであって、並んで配列している上記構成の複数のワンタッチ締結式アダプターと、これらアダプターの各流出口に設けられた逆流防止バルブと、上記アダプターのうち、隣接するアダプターの各流入口及び流出口の内部に、隣接するアダプターが互いに相対回転可能になるよう上記各流入口と流出口との間を連結するように設けられたプラグ形連結部材を備え、上記プラグ形連結部材の外周面と上記流入口及び流出口の内周面との間はＯリングで密封したことを特徴とするマルチアダプターを提供する。
【００１４】
本発明の一実施の形態によれば、上記部分円弧状対向カラーフランジの円弧部の一端は上向傾斜部となっていること特徴とする。
【００１５】
本発明の一実施の形態によれば、上記チェックバルブは、気密保持された傾斜シート面を備え、上記流入口と連通したバルブ本体、このバルブ本体から中央貫通ホールの下部に延びる流動通路、上記傾斜シート面にプランジャーヘッドが気密に配置されるように上記流動通路内に配置され、フィルター組立体とアダプターの締結及び分離時、フィルター組立体による加圧及び加圧解除により移動され流動通路を開閉するバルブプランジャー、上記上部カーバーにより支持され、バルブ本体の傾斜シート面に配置されたプランジャーヘッドを弾性加圧するように配置されたバルブばねを備えることを特徴とする。
【００１６】
本発明の一実施の形態によれば、上記フィルター組立体の締結時、フィルター組立体の流動通路のカラーフランジと接触するスライドプレートの半円弧部が下部から上部側に上向傾斜部となっていることを特徴とする。
【００１７】
本発明の一実施の形態によれば、上記アダプター本体の流出部内には逆流防止バルブが設けられていて、フィルター組立体の分離時、流出部後端の残圧による残留浄水水の逆流及び落水を防止することを特徴とする。
【００１８】
本発明の一実施の形態によれば、上記分離ボタン手段のワンタッチ押しバーにはフィルー組立体の偶発的な分離を防止するための安全ピンの装着ホールが形成されたことを特徴とする。
【００１９】
本発明の一実施の形態によれば、上記フィルター材は、中空糸膜フィルター、不織布フィルター、活性炭フィルター、逆浸透膜フィルター、機能性セラミックフィルターのうち、少なくとも一つのフィルター材からなることを特徴とする。
【発明の効果】
【００２０】
本発明によれば、ビデ、冷蔵庫などに用いられるフィルター組立体及び該フィルター組立体を適用機器に着脱させるためのアダプターをワンタッチ方式にて相互締結及び分離できるワンタッチ着脱式フィルター組立体及びアダプターを提供し、また、複数のアダプターを直列に連結することにより、浄水器、イオン水器もしくはその他の機能水製造器などに用いられる複数のフィルター組立体をワンタッチ方式にて着脱できるマルチアダプターを提供する。これはフィルターの交換時、家庭で婦女子や子供であっても別途の装置がなくても、容易く交換作業が可能であり、交換時に別途の原水止め作業や流路上に残留する浄水水の逆流又は落水のおそれがないので、製品に対する信頼と満足を同時に提供することができる効果がある。
【発明を実施するための最良の形態】
【００２１】
以下、添付した図面に基づき、本発明の好適な実施の形態について詳細に説明する。
【００２２】
図１ａは、本発明によるフィルター締結用アダプターの縦断面図及び側面図であり、図１ｂは図１ａのアダプターのＡ-Ａ線に沿いとった横断面図であり、図１ｃは図１ａのアダプターの分離ボタン手段の正面図及び平面図であり、図１ｄは図１ａのアダプターのスライドプレートの平面図及びこの平面図からＡ-Ａ線に沿いとった断面図である。
【００２３】
これら図を参照すれば、本発明によるフィルター締結用アダプター１００はカラーフランジを有する円筒状流動通路を一端に備えたフィルター組立体を着脱させるためのワンタッチ着脱式アダプターである。
【００２４】
本発明のワンタッチ着脱式アダプター１００は、上部両側に流入口１０ｉｎと原水流入孔１０ｃ及び浄水水流出孔１０ｄと浄水水流出口１０ｏｕｔが形成され、これら流入口及び流出口と連通する中央貫通ホールを有するアダプター本体１０と、上記中央貫通ホールの内部に配置され、上記流入口からの流入水の流入及び遮断を調節するチェックバルブ２０と、上記中央貫通ホールの上部開口を閉鎖する上部カバー１０ａと、上記中央貫通ホールと連通するように上記アダプター本体の下部に配置された下部カバー１０ｂと、この下部カバー１０ｂ上に配置され互いに対向する方向に移動可能で、フィルター組立体を分離可能に締結するスライドプレート５０（５０Ａ，５０Ｂ）と、このスライドプレートとフィルター組立体との締結状態を解除して分離させるための分離ボタン手段４０を備える。
【００２５】
上記チェックバルブ２０は、傾斜シート面２０ｆを備え、上記流入口１０ｉｎと連通したバルブ本体、このバルブ本体から中央貫通ホールの下部に延びる流動通路２０ａ、上記傾斜シート面２０ｆにプランジャーヘッドが気密に配置されるように上記流動通路内に配置され、フィルター組立体とアダプターとの締結及び分離時、フィルター組立体による加圧及び加圧解除により移動され、流動通路を開閉するバルブプランジャー２０ｃ、上記上部カバーにより支持され、バルブ本体の傾斜シート面２０ｆに配置されたプランジャーヘッドを弾性加圧するように配置されたバルブばね２０ｄを備える。
【００２６】
上記バルブプランジャー２０ｃのプランジャーヘッドはその周りにＯリング２０ｅを付着して傾斜シート面２０ｆとの気密した結合を保持する。
【００２７】
流動通路２０ａ内には原水流動路２０ｂが形成され、これを通じて流入口１０ｉｎから流入される原水が通過する。上記バルブプランジャー２０ｃは、プランジャーヘッドにＯリング２０ｅを備えており、上部カバー１０ａにより支持されたバルブばね２０ｄの弾性加圧力を受けていて外力が加えられない限り、バルブ本体の傾斜シート面２０ｆに密着している。
【００２８】
本発明の一実施の形態によれば、上記アダプター本体１０の流出口１０ｏｕｔ内にはフィルター組立体の分離時、流出口後端の残圧による残留浄水水の逆流及び落水を防止するための逆流防止バルブ３０が設けられている。
【００２９】
上記スライドプレート５０（５０Ａ，５ＯＢ）は、互いに対向する傾斜長孔５０ａ，５０ｂとフィルター組立体の入口部のカラーフランジ２１５（図２ご参照）を分離可能に締結する対向半円弧部５１ａ，５１ｂをそれぞれ備え、ばね装着突起５０ｓに装着されたばねＳにより互いに対向する方向に加圧される一対のフィルター組立体締結用スライドプレートである。上記スライドプレートの半円弧部５１ａ，５１ｂは、下部から上部側に上向傾斜部（図１ｄにおいて５１ｂ’）となっているが、これはフィルター組立体を締結するとき、挿入を円滑にしながら、スライドプレートを左右に離れるようにする。
【００３０】
したがって、フィルター組立体２００をアダプター１００に締結するとき、フィルター組立体の入口部のカラーフランジ２１５が上記上向傾斜部５１ｂ’に沿い上向移動しながら、スライドプレート５０Ａ，５０Ｂを水平方向に移動させ、カラーフランジがスライドプレート傾斜部を乗り越えると、ばねＳにより対向方向に圧力を受けていたスライドプレートが互いに対向する方向に移動することによってフィルター組立体がスライドプレートにより締結される。
【００３１】
上記分離ボタン手段４０は、上記傾斜長孔５０ａ，５０ｂに挿入された突起４０ａを有する二つの分離バーとこれら分離バーの一端を互いに連結させたワンタッチ押しバーを備え、締結状態のフィルター組立体２００を分離しようとするとき、上記押しバーを押すことにより分離バーが前進し、上記スライドプレート５０Ａ，５０Ｂの傾斜長孔５０ａ，５０ｂに挿入された分離バーの突起４０ａも前進して突起の側面と長孔の側面が滑りを起こし、これにより、スライドプレートが突起の移動方向と直角に移動し、結局、対向スライドプレート５０Ａ，５０Ｂが互いに離れる方向に移動してフィルター組立体２００がワンタッチ分離される。
【００３２】
上記分離ボタン手段４０のワンタッチ押しバーには、フィルター組立体の偶発的な分離を防止するための安全ピンの装着ホール４５が形成されている。
【００３３】
本発明の他の特徴によれば、本発明は上記したワンタッチ着脱式アダプター１００に分離可能に締結されるフィルター組立体２００を提供する。
【００３４】
図２に、本発明によるフィルター組立体２００が示されている。
【００３５】
示されているとおり、フィルター組立体２００は、カラーフランジを有する円筒状流動通路２００ａを入口部に備えた外部ハウジング２１０と、外部ハウジング内に配置されたフィルター材２４０と、フィルター材の上端と外部ハウジング２１０の流動通路２００ａとの間に配置され、ワンタッチ着脱式アダプターのチェックバルブを通じて流入される流入水をフィルター材２４０にガイドし、フィルター材により浄水された浄水水をワンタッチ着脱式アダプターの流出口１０ｏｕｔ（図１ａご参照）にガイドする流入水及び流出水ガイド２２０を備え、上記流入水及び流出水ガイド２２０は、流入水と流出浄水水との混合を防止するように形成された環状分離壁２２０ａと、流入水をフィルター材の外側面と外部ハウジングの内側面との間にガイドする原水流路転換通路２２０ｂと、フィルター材に流入されフィルタリングされた浄水水を外部に排出するための浄水水流出通路２２０ｃと、上記分離壁内部の中央に設けられアダプターのチェックバルブにおけるバルブプランジャー２０ｃに接触しながら、チェックバルブを開放させるプッシュロード２２０ｄを備える。
【００３６】
上記フィルター材２５０は、中空糸膜フィルター、不織布フィルター、活性炭フィルター、逆浸透膜フィルター、機能性セラミックフィルターのうち、少なくとも一つのフィルター材を採用し、上記フィルター材のうち、いずれか一つのフィルター材が一つのフィルター組立体を構成するか、又は上記フィルター材のうち、２つ以上のフィルター材が一つのフィルター組立体を構成する複合フィルター材であっても良い。
【００３７】
上記本発明のワンタッチ着脱式アダプター１００に、上記本発明のフィルター組立体２００を締結及び分離する過程を図３ａ乃至図３ｄに示している。
【００３８】
図３ａは本発明による図１ａのアダプターと本発明による図２のフィルター組立体とが互いに分離された状態を示した図である。
【００３９】
分離状態で、アダプター１００のスライドプレート５０（５０Ａ，５０Ｂ）は、ばねにより互いに当接した状態で加圧されており、スライドプレートの傾斜長孔５０ａ，５０ｂに嵌められた分離ボタン手段４０の突起４０ａは長孔の始め部分（図４の平面図上において下側方向）に位置している。
【００４０】
また、アダプターの中央貫通ホール内にあるチェックバルブ２０は、バルブばね２０ｄによりバルブプランジャー２０ｃが下向きの加圧力を受けており、これによりＯリング２０ｅが、バルブ本体２０ａの内部に形成された傾斜シート面２０ｆに密着することにより、原水の流動通路を閉鎖し、流入水の流入を遮断している。
【００４１】
図３ｂは本発明による図１ａのアダプターに、本発明による図２のフィルター組立体を締結する直前の状態を示した図であり、図３ｃは本発明による図１ａのアダプターに、本発明による図２のフィルター組立体が完全締結された状態を示した図である。
【００４２】
これら図によるフィルター組立体２００の締結過程は次のとおりである。
【００４３】
まず、フィルター組立体２００をアダプター１００の下部の中央貫通ホールに向いて押し上げると、フィルター組立体の外部ハウジング２１０の上部入口部に形成されたカラーフランジ２１５がスライドプレート５０の半円弧部５１ａ，５１ｂの傾斜部５１ａ’，５１ｂ’に接触された状態で上向き移動する。
【００４４】
これにより両側スライドプレート５０Ａ，５０Ｂが互いに離れる方向に移動し、これと同時に、傾斜長孔５０ａ，５０ｂに嵌められている突起４０ａが若干前進する。このとき、スライドプレートの傾斜長孔５０ａ，５０ｂ内に挿入された突起４０ａの位置は図３ｂに示されたとおり、長孔の中央程度に位置するようになる。
【００４５】
このとき、上記アダプター１００とフィルター組立体２００との間には既に全部分にシリングが施されているが、より詳細に説明すると、図３ｂの状態はフィルター組立体２００が上記アダプター１００に締結される前の状況で、上記流入水及び流出水ガイド２２０の先端に形成された分離壁２２０ａの内側中央に設けられたプッシュロード２２０ｄが上記チェックバルブの流動通路２０ａに設けられたバルブプランジャー２０ｃの下端を押し上げる直前である。従って、未だバルブプランジャーのＯリング２０ｅは、バルブ本体の内面に形成された傾斜シート面２０ｆに密着され気密を保持するので、原水の流動路２０ｂは閉鎖されている。これと同時に、流動通路２０ａの下端に設けられた原水流出防止用Ｏリング２０ｇはフィルター組立体２００の内部に原水と浄水水の混入を防止するために設けられた分離壁２２０ａの内面に接続されシリング状態を保持しており、上記フィルター組立体先端の円筒状流動通路の外径面に設けられた１つ以上の浄水水流出防止用Ｏリング２３０は上記アダプター１００の中央貫通ホールの内面に接続されシリング状態を保持していることから、原水の流動通路と浄水水の流動通路が互いに混入されないように区分されている。また、浄水水が、フィルター組立体及びアダプターに形成された流路外の他の空間に流出しないようにシリングがなされている状態である。
【００４６】
上記フィルター組立体のカラーフランジ２１５が、上記スライドプレート５０Ａ，５０Ｂの傾斜部５１ａ’，５１ｂ’を乗り越えると、ばねＳにより対向方向に圧力を受けていたスライドプレート５０Ａ，５０Ｂが互いに対向する方向に移動しながら、カラーフランジ２１５を拘束して、結局、フィルター組立体２００を締結するようになる。
【００４７】
このとき、さらに分離ボタン手段４０は、スライドプレート５０Ａ，５０Ｂに形成された傾斜長孔５０ａ，５０ｂに嵌められた突起４０ａが正面にスライドされることにより、分離ボタンは正面に飛び出す。同時に、スライドプレートの傾斜長孔５０ａ，５０ｂ内に挿入された突起４０ａの位置は、図３ｃに示されているとおり、傾斜長孔５０ａ，５０ｂの下端から多少離隔された状態となる。
【００４８】
締結の際に、フィルター組立体のプッシュロード２２０ｄは、アダプター１００内のチェックバルブ２０におけるバルブプランジャー２０ｃを上方に押し上げるので、傾斜シート面２０ｆに密着されていたバルブプランジャーのＯリング２０ｅが傾斜シート面２０ｆと離隔されることにより、閉鎖状態の原水流動路２０ｂが開放状態となる。チェックバルブは、アダプター本体１０の流入口１０ｉｎと連通状態であるため、上記のような締結過程によりチェックバルブが開放されると、流入口１０ｉｎから流入された原水は原水流入孔１０ｃ、チェックバルブ本体中央の流動通路２０ａの原水流動路２０ｂを通じて流入水及び流出水ガイド２２０の分離壁２２０ａ内側に流動する。
【００４９】
フィルター組立体の内部に供給された流入水は、図３ｃに示されているとおり、フィルター材と入口部との間に配置された流入水ガイド２２０の先端に設けられた分離壁２２０ａ及び原水流出防止用Ｏリング２０ｇにより浄水水との混合が防止され、さらに原水流路転換通路２２０ｂを通過しながら、外部ハウジング２１０の内面とフィルター材２４０の外面との間に流動したあと、フィルター材を通過しながら、フィルタリングされ、フィルタリングを経ながら上向移動し、さらに流入水ガイド２２０に形成された浄水水流出通路２２０ｃ、分離壁２２０ａの外径面及びチェックバルブの流動通路２０ａの外径面とフィルター組立体先端の首部の内径面との間に流動したあと、浄水水流動空間１０eを経て浄水水流出孔１０ｄ及びアダプターの浄水水流出口１０ｏｕｔを通じて排出される。
【００５０】
一方、締結が完了すると、偶発的な分離が起こらないようにするため、分離ボタン手段４０の安全ピン装着ホール４５に安全ピンを装着することにより、分離ボタン手段を作動停止状態にする。
【００５１】
図３ｄは図３ｃの締結状態で、本発明による図１ａのアダプターから、本発明による図２のフィルター組立体を分離するための方法を示した図である。
【００５２】
アダプター１００に締結された状態のフィルター組立体２００を交換する必要があるときは、上記分離ボタン手段４０から安全ピンを取り除いたあと、ボタン手段を押すことだけで、ワンタッチ分離がなされる。
【００５３】
分離ボタン手段４０を押すと、分離ボタン手段が前進しながら分離バーの突起４０ａも前進し、この突起はスライドプレート５０Ａ，５０Ｂの傾斜長孔５０ａ，５０ｂに嵌められているため、突起の前進移動はスライドプレートを相互反対方向に移動させる。したがって、フィルター組立体のカラーフランジ２１５を拘束していたスライドプレートが左右に移動し、その拘束状態が解除されフィルター組立体の分離がなされる。このとき、バルブプランジャー２０ｃの挙動は締結時と反対にプッシュロード２２０ｄから加えられた加圧力が解除され、バルブばね２０ｄの弾性のみを受けるため、バルブプランジャーは下向き移動され、バルブプランジャーのＯリング２０ｃがバルブ本体の内部傾斜シート面２０ｆに密着し原水の流動を遮断する。
【００５４】
一方、本発明の一実施の形態によれば、上述した一実施の形態のフィルター締結用アダプター１００及びこのアダプターに締結されるフィルター組立体２００の変形構造が提案される。
【００５５】
この実施の形態の変形構造は、上述したアダプター構成において、フィルター組立体の締結のためのスライドプレート及びフィルター組立体をアダプターから分離するための分離ボタン手段を排除しても、上述した実施の形態から得られる効果を達成できる変形構造に関する。
【００５６】
図４ａ、４ｂ及び４ｃに示されているとおり、この実施の形態のフィルター締結用アダプター１００’はスライドプレート及び分離ボタン手段を取り除き、下部カバーの中央貫通口１５の外周に対向配置された部分円周リム１５ａを備えるように構成されている。
【００５７】
また、この実施の形態は図５ａ、５ｂに示されているとおり、上述したフィルター締結用アダプター１００’に対応締結させるために、フィルター組立体の入口部の円筒状流動通路外側に形成されたカラーフランジを対向する部分円弧状カラーフランジ２１５’で構成しているフィルター組立体２００’を提案する。
【００５８】
従って、この実施の形態のアダプター１００’に、この実施の形態のフィルター組立体２００’を装着する場合、フィルター組立体２００’の円筒状流動通路を下部カバーの中央貫通口１５内に挿入装着時、図４ａに示されているとおり、アダプター１００’とフィルター組立体２００’とが分離された状態で、図４ｂに示されているとおり、対向する部分円弧状カラーフランジ２１５’が下部カバーの中央貫通口１５の形状に合うようにフィルター組立体２００’をアダプター１００’に挿入したあと、図４ｃに示されているとおり、アダプター本体とフィルター組立体を互いに相対回転させると、フィルター組立体の対向する部分円弧状カラーフランジ２１５’がアダプター１００’の下部カバーの中央貫通口１５の部分円周リム１５ａを乗り越えながらフィルター組立体２００’がアダプター１００’に締結される。この締結状態の分離は、上述した過程の反対過程でなされる。
【００５９】
上記部分円弧状カラーフランジ２１５’の各下面の一端には上向傾斜部２１５ａ’を構成し、上記下部カバーの部分円周リム１５ａの各上面の一端には下向傾斜部１５ａ’を構成することにより、フィルター組立体２００’とアダプター１００’の相対回転の際に、アダプターの下部カバーの中央貫通口１５の円周リム１５ａ一端の下向傾斜部１５ａ’に対して部分円弧状カラーフランジ２１５’の上向傾斜部２１５ａ’が加圧接触されながら回転移動するため、上向傾斜部２１５ａ‘に作用する水平回転力が互いの傾斜部により上向に作用してフィルター組立体２００’を上向移動させると同時に、部分円弧状カラーフランジ２１５’が円周リム１５ａの下向傾斜部１５ａ’を柔らかに乗り越えて締結状態に至るようにする。
【００６０】
また、この場合、対向する部分円弧状カラーフランジ２１５’の上向傾斜部２１５ａ’及び部分円周リム１５ａの下向傾斜部１５ａ’は互いに同一方向の一端に位置し、カラーフランジがその上向傾斜部に隣接した円周リム１５ａを乗り越えて締結位置に達すると、その締結位置を維持しながら、これ以上カラーフランジが移動しないように円周リムの終端にストッパー突起１５ｂを備えることが望ましい。
【００６１】
かかる構成の本実施の形態のアダプター１００’及びフィルター組立体２００’は、本実施の形態の上述した特徴的な構成及びそれによる締結動作の過程を除いた残りの構成及び締結動作の過程は上述した他の実施の形態のアダプター及びフィルター組立体と同一であるので、その詳細な説明は省略する。
【００６２】
本発明の又他の特徴によれば、本発明は上記フィルター組立体を複数２００ａ，２００ｂ，２００ｃ，２００ｄ，２００ｅ締結させるためのマルチアダプターを提供する。図６に、かかるマルチアダプターの一例が示されている。
【００６３】
上記マルチアダプターは、並んで配列している上記構成の複数のワンタッチ締結式アダプター１００ａ，１００ｂ，１００ｃ，１００ｄ，１００ｅと、これらアダプターの各流出口に設けられた逆流防止バルブ３０（図１ａご参照）と、上記アダプターのうち隣接したアダプターの各流入口と流出口の内部にこれらを連結するように設けられたプラグ形連結部材１５０とを備える。
【００６４】
一般に、浄水器やイオン水器など、複数のフィルターを装着する製品において、それぞれのフィルターはその機能及び使用寿命が異なり、これはフィルター組立体の交換時に一括して全フィルターを取り替えることでなく、寿命が尽きたフィルター組立体に限ってのみ交換をするが、このとき、いずれのフィルター組立体を交換しても、必ず原水の遮断作業を必要とする。
【００６５】
しかしながら、本発明によるマルチアダプターには、それ自体にチェックバルブ２０が内蔵されているので、いずれのフィルターを交換するとしても別途に原水を遮断する必要がなく、分離ボタンの押し動作後、既存のフィルター組立体を分離してから新しいフィルター組立体を嵌め込むか、又は既存のフィルター組立体を一回転させて分離したあと、新しいフィルター組立体を嵌めて一回転させることにより、容易く交換作業を完了できるという特徴がある。
【００６６】
上記プラグ形連結部材１５０の外周面と上記流入口及び流出口の内周面との間はＯリングで密封するのが望ましく、また、フィルター交換作業上の便宜のために、上記マルチアダプターをなすそれぞれの単一アダプターはプラグ形連結部材を軸にして回転が可能するように構成されることにより、アダプター底面の下部カバー部１０ｂがフィルター交換を行う者の前面に回転するので、より便利なフィルター交換作業を行うことができる。
【００６７】
また、本発明は上記ワンタッチ着脱式単一及びマルチアダプターと、それに着脱できるフィルター組立体のうち、いずれか一つ以上を含む浄水システムに関するものである。言い換えれば、上記実施例を通じて説明したワンタッチ着脱式単一及びマルチアダプターと、それに着脱できるフィルター組立体はビデ、イオン水浄水器など多様な種類の浄水システムの一部として存在することができ、従って、そのような浄水システムをすべて包括する。
【図面の簡単な説明】
【００６８】
【図１ａ】本発明の一実施の形態によるフィルター締結用アダプターの縦断面図及び側面図。
【図１ｂ】図１ａのアダプターのＡ-Ａ線に沿いとった横断面図。
【図１ｃ】図１ａのアダプターの分離ボタン手段の正面図及び平面図。
【図１ｄ】図１ａのアダプターのスライドプレートの平面図及び該平面図からＡ-Ａ線に沿いとった断面図。
【図２】図１ａによるアダプターが装着される 本発明の一実施の形態によるフィルター組立体を示した図。
【図３ａ】本発明による図１ａのアダプターと本発明による図２のフィルター組立体が互いに分離された状態を示した図。
【図３ｂ】本発明による図１ａのアダプターに、本発明による図２のフィルター組立体を締結する直前の状態を示した図。
【図３ｃ】本発明による図１ａのアダプターに、本発明による図２のフィルター組立体が締結完了した状態を示した図。
【図３ｄ】図３ｃの締結状態で本発明による図１aのアダプターから本発明による図２のフィルター組立体を分離するための方法を示した図。
【図４ａ】本発明の他の実施の形態によるアダプターとフィルター組立体とが互いに分離された状態を示した図。
【図４ｂ】図４ａの状態で、アダプターにフィルター組立体が締結する直前の状態を示した図。
【図４ｃ】図４ｂの状態で、アダプターにフィルター組立体が締結完了した状態を示した図。
【図５ａ】本発明の他の実施の形態によるフィルター組立体の正面図及び平面図。
【図５ｂ】図５ａのフィルター組立体の側面図。
【図６】本発明の一実施の形態による図２のフィルター組立体を多重構造で装着するための多重構造のマルチアダプター構造を示した図。
【符号の説明】
【００６９】
１０  アダプター本体  
１０ｉｎ  原水流入口
１０ｏｕｔ  浄水水流出口
１０ａ  上部カバー
１０ｂ  下部カバー 
１０ｃ  原水流入孔
１０ｄ  浄水水流出孔
１０ｅ  浄水水流動空間
１５  中央貫通口
１５ａ  円周リム
１５ａ’  下向傾斜部
１５ｂ  ストッパー突起
２０  チェックバルブ
２０ａ  流動通路
２０ｂ  原水流動路
２０ｃ  バルブプランジャー
２０ｄ  バルブばね
２０ｅ  バルブプランジャーのＯリング
２０ｆ  傾斜シート面
２０ｇ  原水流出防止用Ｏリング
３０  逆流防止バルブ 
４０  分離ボタン手段
４０ａ  突起
４５  安全ピン装着ホール
５０，５０Ａ，５０Ｂ  スライドプレート
５０ａ，５０ｂ  傾斜長孔
５０ｓ  ばね装着突起
５１ａ，５１ｂ  半円弧部
５１ｂ’  傾斜部
１００  ワンタッチ着脱式アダプター
２００  フィルター組立体
２００ａ  入口部
２１０  外部ハウジング
２１５  カラーフランジ
２１５’  部分円弧状カラーフランジ
２１５ａ’  上向傾斜部
２２０  流入水及び流出水ガイド
２２０ａ  分離壁
２２０ｂ  原水流路転換通路
２２０ｃ   浄水水流出通路
２２０ｄ  プッシュロード
２３０   浄水水流出防止用Ｏリング
２４０  フィルター材
Ｓ  ばね
【図１ａ】
2006021190.tif 000003
【図１ｂ】
2006021190.tif 000004
【図１ｃ】
2006021190.tif 000005
【図１ｄ】
2006021190.tif 000006
【図２】
2006021190.tif 000007
【図３ａ】
2006021190.tif 000008
【図３ｂ】
2006021190.tif 000009
【図３ｃ】
2006021190.tif 000010
【図３ｄ】
2006021190.tif 000011
【図４ａ】
2006021190.tif 000012
【図４ｂ】
2006021190.tif 000013
【図４ｃ】
2006021190.tif 000014
【図５ａ】
2006021190.tif 000015
【図５ｂ】
2006021190.tif 000016
【図６】
2006021190.tif 000017